(57)【要約】【課題】画面に比べてその画面に表示する画像が大きい場合に、所定領域を主として表示し、副画像をユーザが把握できるように表示することができるようにした画像処理システムを提供する。【解決手段】画像処理システムの領域抽出手段は入力した画像から領域を抽出し、主副領域抽出手段は前記領域抽出手段によって抽出された領域が主画像または副画像であるか否かの属性を抽出し、関連性解析手段は前記主副領域抽出手段によって抽出された属性の関連性を解析し、画像表示手段は前記関連性解析手段による解析結果に応じて、前記画像を表示する。【選択図】図１
2008046832.tif 000002
【特許請求の範囲】
【請求項１】
入力した画像から領域を抽出する領域抽出手段と、
前記領域抽出手段によって抽出された領域が主画像または副画像であるか否かの属性を抽出する主副領域抽出手段と、
前記主副領域抽出手段によって抽出された副画像のうち表示する副画像を指定する副画像指定手段と、
前記副画像指定手段による指定に応じて、前記画像を表示する画像表示手段
を具備することを特徴とする画像処理システム。
【請求項２】
前記主副領域抽出手段は、位置情報、インデックス情報をも抽出する
ことを特徴とする請求項１に記載の画像処理システム。
【請求項３】
前記副画像指定手段は、副画像に関する説明を表示し、利用者による該説明の選択によって副画像を指定する
ことを特徴とする請求項１に記載の画像処理システム。
【請求項４】
前記副画像指定手段は、複数の副画像がある場合は、該副画像を表示し、利用者による選択によって副画像を指定する
ことを特徴とする請求項１に記載の画像処理システム。
【請求項５】
前記副画像指定手段は、インデックス情報に応じて、前記説明の形態を変更する
ことを特徴とする請求項３に記載の画像処理システム。
【請求項６】
前記主副領域抽出手段は、位置情報、インデックス情報をも抽出し、
前記副画像指定手段は、前記説明として、インデックス情報を表示する
ことを特徴とする請求項３または５に記載の画像処理システム。
【請求項７】
画像を入力する画像入力手段と、
前記画像入力手段によって入力された画像から領域を抽出する領域抽出手段と、
前記領域抽出手段によって抽出された領域が主画像または副画像であるか否かの属性を抽出する主副領域抽出手段と、
前記主副領域抽出手段によって抽出された属性、主画像、副画像および前記画像入力手段によって入力された画像を対応付けて記憶する記憶手段と、
前記主副領域抽出手段によって抽出された副画像のうち表示する副画像を指定する副画像指定手段と、
前記副画像指定手段によって指定された副画像と主画像を表示する画像表示手段
を具備することを特徴とする画像処理システム。
【請求項８】
コンピュータに、
入力した画像から領域を抽出する領域抽出機能と、
前記領域抽出機能によって抽出された領域が主画像または副画像であるか否かの属性を抽出する主副領域抽出機能と、
前記主副領域抽出機能によって抽出された副画像のうち表示する副画像を指定する副画像指定機能と、
前記副画像指定機能による指定に応じて、前記画像を表示する画像表示機能
を実現させることを特徴とする画像処理プログラム。
【発明の詳細な説明】
【技術分野】
【０００１】
本発明は、画像処理システムおよび画像処理プログラムに関する。
【背景技術】
【０００２】
近年、携帯電話やＰＤＡの普及によって、携帯可能な情報処理装置が多くなってきている。その情報処理装置の表示装置は、携帯性を重視するため、一般的にサイズの小さいものが多い。一方、それらの表示装置に表示すべき情報には、情報量が多いものが要求されてきている。
これらに関する技術として、例えば、特許文献１には、所望の詳細度の情報の検索を簡単な操作で可能とし、ネットワーク監視システムや地図情報システム等での情報の検索に係る操作性を向上させることを目的として、操作者が指定した表示中の情報に関連する、それぞれ詳細度の異なる情報を、操作者の選択に基づき表示するシステムであって、操作者が指定した表示枠の大きさを算出する表示枠サイズ算出部と、入力制御部で算出した表示枠の大きさに対応する詳細度の関連情報を、操作者が指定した表示枠内に表示する関連情報表示部とを少なくとも有し、操作者が指定した表示枠の大きさに対応して関連情報を変えて表示することを特徴とする画面表示切替システムが開示されている。
【特許文献１】特開平０８−２６３５０５号公報
【発明の開示】
【発明が解決しようとする課題】
【０００３】
本発明は、このような背景技術の状況の中でなされたもので、画面に比べてその画面に表示する画像が大きい場合に、所定領域を主として表示し、副画像を利用者が把握できるように表示することができるようにした画像処理システムおよび画像処理プログラムを提供することを目的としている。
【課題を解決するための手段】
【０００４】
かかる目的を達成するための本発明の要旨とするところは、次の各項の発明に存する。
［１］  入力した画像から領域を抽出する領域抽出手段と、
前記領域抽出手段によって抽出された領域が主画像または副画像であるか否かの属性を抽出する主副領域抽出手段と、
前記主副領域抽出手段によって抽出された副画像のうち表示する副画像を指定する副画像指定手段と、
前記副画像指定手段による指定に応じて、前記画像を表示する画像表示手段
を具備することを特徴とする画像処理システム。
【０００５】
［２］  前記主副領域抽出手段は、位置情報、インデックス情報をも抽出する
ことを特徴とする［１］に記載の画像処理システム。
【０００６】
［３］  前記副画像指定手段は、副画像に関する説明を表示し、利用者による該説明の選択によって副画像を指定する
ことを特徴とする［１］に記載の画像処理システム。
【０００７】
［４］  前記副画像指定手段は、複数の副画像がある場合は、該副画像を表示し、利用者による選択によって副画像を指定する
ことを特徴とする［１］に記載の画像処理システム。
【０００８】
［５］  前記副画像指定手段は、インデックス情報に応じて、前記説明の形態を変更する
ことを特徴とする［３］に記載の画像処理システム。
【０００９】
［６］  前記主副領域抽出手段は、位置情報、インデックス情報をも抽出し、
前記副画像指定手段は、前記説明として、インデックス情報を表示する
ことを特徴とする［３］または［５］に記載の画像処理システム。
【００１０】
［７］  画像を入力する画像入力手段と、
前記画像入力手段によって入力された画像から領域を抽出する領域抽出手段と、
前記領域抽出手段によって抽出された領域が主画像または副画像であるか否かの属性を抽出する主副領域抽出手段と、
前記主副領域抽出手段によって抽出された属性、主画像、副画像および前記画像入力手段によって入力された画像を対応付けて記憶する記憶手段と、
前記主副領域抽出手段によって抽出された副画像のうち表示する副画像を指定する副画像指定手段と、
前記副画像指定手段によって指定された副画像と主画像を表示する画像表示手段
を具備することを特徴とする画像処理システム。
【００１１】
［８］  コンピュータに、
入力した画像から領域を抽出する領域抽出機能と、
前記領域抽出機能によって抽出された領域が主画像または副画像であるか否かの属性を抽出する主副領域抽出機能と、
前記主副領域抽出機能によって抽出された副画像のうち表示する副画像を指定する副画像指定機能と、
前記副画像指定機能による指定に応じて、前記画像を表示する画像表示機能
を実現させることを特徴とする画像処理プログラム。
【発明の効果】
【００１２】
本発明にかかる画像処理システムおよび画像処理プログラムによれば、本構成を有していない場合に比較して、画面に比べてその画面に表示する画像が大きい場合に、所定領域を主として表示し、副画像を利用者が把握できるように表示することができるようになる。これによって、主画像を表示しながら必要情報を同時に得ることができるようになり、利用者に対する操作性、利便性がより一層向上する。
【発明を実施するための最良の形態】
【００１３】
本実施の形態の理解を容易にするために、本実施の形態の概要を説明する。
携帯端末などの小サイズ表示装置にてドキュメント（静止画、動画またはアプリケーション作成文書等）を表示する際、所定領域を拡大表示すると共に、表示領域の周辺情報（表示されない領域の情報）や関連情報をユーザ（利用者）に提示する。表示装置がドキュメント全体を表示できるサイズの場合であっても、拡大表示時に、表示領域の周辺情報や関連情報をユーザに提示する。
例えば、具体的な例としては、以下のようなものがある。
（１）携帯端末等の表示装置でドキュメントを表示させる場合に、表示されない周辺領域（オブジェクト）に関するガイド（位置情報／インデックス／関連性／オブジェクト種別等）をユーザに表示又は通知する。ガイド内容によって、表示方法（色／形状など）を変更する。
（２）動画であるスポーツ番組等を携帯端末で見る場合、所定領域を拡大表示すると共に、表示されない領域であり、画面上にアノテーションされた文字情報（タイム情報／点数情報／飛距離情報等）についてのガイドを表示する。選択すると、その情報を閲覧出来る、もしくは所定領域拡大表示内に重ね表示する。
【００１４】
以下、図面に基づき本発明の好適な一実施の形態を説明する。
各図は本発明の一実施の形態を示している。図１は、一実施の形態の概念的なモジュール構成図を示している。
なお、モジュールとは、一般的に論理的に分離可能なソフトウェア、ハードウェア等の部品を指す。したがって、本実施の形態におけるモジュールはシステムにおけるモジュールのことだけでなく、プログラム、ハードウェア構成におけるモジュールも指す。それゆえ、本実施の形態は、システム、プログラムおよび方法の説明をも兼ねている。また、モジュールは機能にほぼ一対一に対応しているが、実装においては、１モジュールを１プログラムで構成してもよいし、複数モジュールを１プログラムで構成してもよく、逆に１モジュールを複数プログラムで構成してもよい。また、複数モジュールは１コンピュータによって実行されてもよいし、分散または並列環境におけるコンピュータによって１モジュールが複数コンピュータで実行されてもよい。また、以下、「接続」とは物理的な接続の他、論理的な接続を含む。
また、システムとは、複数のコンピュータ、ハードウェア、装置等がネットワーク等で接続されて構成されるほか、１つのコンピュータ、ハードウェア、装置等によって実現される場合も含まれる。
以下、画像として、静止画、動画または電子文書等のドキュメントがあるが、動画を主に例示して説明する。この動画には、ユーザが主に注目したい主画像とその主画像に関連する情報が表示される副画像が含まれているとする。
【００１５】
本実施の形態である画像処理システムは、図１に示すように、画像入力モジュール１１１、領域抽出モジュール１１３、主副オブジェクト抽出モジュール１１５、オブジェクト記憶モジュール１１７、副オブジェクト指定モジュール１１９、画像表示モジュール１２１を備えている。
画像入力モジュール１１１は、図１に示すように、領域抽出モジュール１１３と接続されており、画像処理システムが対象とする動画を入力する。そして、入力した動画を領域抽出モジュール１１３へ渡す。画像入力モジュール１１１は、テレビ、ＤＶＤ等からの動画をデジタル画像として入力するものであり、より具体的には、放送をデジタル画像に変換する変換装置、その他カメラ等も該当する。静止画であるドキュメントをイメージとして入力するものにスキャナ、ファックス等がある。また、アプリケーション作成文書を入力するものとして、文書データベース等の記憶装置からの読み出しモジュール、通信回線を介して、他のシステムから受信する受信モジュール等が該当する。また、アプリケーション作成文書を入力するものとして、文書データベース等の記憶装置からの読み出しモジュール、通信回線を介して、他のシステムから受信する受信モジュール等が該当する。
【００１６】
領域抽出モジュール１１３は、図１に示すように、画像入力モジュール１１１、主副オブジェクト抽出モジュール１１５と接続されており、画像入力モジュール１１１によって入力された画像から領域を抽出する。そして、抽出した領域を主副オブジェクト抽出モジュール１１５へ渡す。領域の抽出は、動画像から動きの激しい領域、一定の動きが生じる領域等を抽出することによって行われる。もちろん他の既存の方法で領域を抽出してもよい。ここで、対象となる動画像はフレームに分解した画像として扱い、動きの激しい領域等はそのフレームとしての画像間の比較によって検出する。ここでは、動きの激しい領域を含む矩形領域、または動きは前述のものほど激しくはないが一定時間毎に変化するような部分画像を含む矩形領域を抽出する。
【００１７】
主副オブジェクト抽出モジュール１１５は、図１に示すように、領域抽出モジュール１１３、オブジェクト記憶モジュール１１７と接続されており、領域抽出モジュール１１３によって抽出されたそれぞれの領域について、主画像または副画像であるか否かの属性、位置情報、インデックス情報等を抽出する。そして、抽出した情報をオブジェクト記憶モジュール１１７へ渡す。また、ここで、属性を付した領域のことをオブジェクトともいう。
主画像または副画像の位置情報とは、入力した画像内における位置を示すものである。具体的には、画像内の縦をＸ軸、横をＹ軸として、ＸＹ座標によって、主画像または副画像の位置を示す。その他、主画像と副画像間の相対的な位置情報であってもよい。
主画像または副画像であるか否かの属性とは、ここでは、動きの激しい領域を含む矩形領域を主画像とし、動きは主画像ほど激しくはないが一定時間毎に変化するような矩形領域を副画像とする。
【００１８】
画像のインデックス情報とは、その領域のタイトル等のユーザによってその領域を特定できる名称である。具体的には、その領域にテキストが含まれている場合は、そのテキストの文字認識を行い、文字認識結果等を利用することができる。また、文章のように文字が多い場合は、より詳細なインデックス情報を抽出するために、文字認識結果の文字より構造解析を行い、その領域の要約を作成してもよい。また、特徴的な単語（他の領域にはない単語等）を抽出して生成してもよい。また、領域が写真、図形であった場合には、その画像を認識することを行ってもよい。
【００１９】
オブジェクト記憶モジュール１１７は、図１に示すように、主副オブジェクト抽出モジュール１１５、副オブジェクト指定モジュール１１９と接続されており、主副オブジェクト抽出モジュール１１５によって抽出された主画像または副画像であるか否かの属性、位置情報、インデックス情報等および前記画像入力モジュール１１１によって入力された画像を対応付けて記憶する。つまり、画像とその画像に関する情報（主画像または副画像であるか否かの属性、位置情報、インデックス情報等）とを対応付けて記憶しているデータベースである。そして、そのデータベースの内容は、副オブジェクト指定モジュール１１９によって検索される。
オブジェクト記憶モジュール１１７によって記憶するデータ構造について、図５を用いて説明する。
オブジェクト記憶モジュール１１７は、図５に示すように、ＩＤ欄５１１、左上座標欄５１３、右下座標欄５１５、主副種別欄５１７、インデックス欄５１９、内容欄５２１を表形式で管理する。ＩＤ欄５１１には、その画像内で一意に識別できる名前を記憶する。左上座標欄５１３、右下座標欄５１５には、画像内における領域の位置を記憶する。主副種別欄５１７には、その領域の主画像、副画像であるかの属性を記憶する。これによって、その領域が主画像であるか副画像であるかの区別ができる。インデックス欄５１９には、主副オブジェクト抽出モジュール１１５による文字認識等の結果を記憶する。内容欄５２１には、その領域の画像が記憶されているファイルの名前等を記憶する。また、テキスト領域であれば、文字認識結果の文字列を記憶してもよい。
図５では表形式で記憶することを示したが、その他のデータ構造（リンク構造、木構造等）であってもよい。
【００２０】
副オブジェクト指定モジュール１１９は、図１に示すように、オブジェクト記憶モジュール１１７、画像表示モジュール１２１と接続されており、ユーザからの選択に応じて、主副オブジェクト抽出モジュール１１５によって抽出された副画像を指定する。副画像が一つのみである場合は、この選択はその一つの副画像の選択として自動的に行われ、ユーザの選択を不要とする。
副画像が複数ある場合は、主画像を拡大表示し、副画像がある方向にその説明を表示する。そして、その説明はユーザから選択可能であり、ユーザからの選択により表示する副画像を指定する。また、その副画像のインデックス情報に応じて、副画像の説明の形態を変更してもよい。
【００２１】
画像表示モジュール１２１は、図１に示すように、副オブジェクト指定モジュール１１９と接続されており、副オブジェクト指定モジュール１１９によって指定された副画像と主画像を表示する。
ここでの表示する画面は、画像入力モジュール１１１によって入力された画像に比べて小さいものであるとする。カメラ等の解像度が高まったことにより、それをそのまま画面に表示することは適さないことが多い。一般的には、画像全体を縮小することが行われているが、本実施の形態では、主画像を主に表示し、その主画像に関連する副画像をユーザの選択によって表示する。
【００２２】
図２を用いて、本実施の形態が実現された場合のシステム全体の構成を説明する。
スキャナ２１１は、画像入力モジュール１１１に該当するものである。画像処理サーバー２１３は、図１で説明した実施の形態の主な機能を実行するものである。画像ＤＢ２１７は、オブジェクト記憶モジュール１１７に該当するものである。通信サーバー２１５は、携帯電話２２３、ＰＤＡ２２５と通信２２１を介して、通信し画像を送信するものである。これらのスキャナ２１１、画像処理サーバー２１３、通信サーバー２１５、画像ＤＢ２１７はバス２１９によって接続されている。
また、携帯電話２２３、ＰＤＡ２２５はそれぞれ画面を有し、画像表示モジュール１２１に該当し、その画面に副オブジェクト指定モジュール１１９による解析結果に応じて画像を表示する。携帯電話２２３、ＰＤＡ２２５は携帯できるものであるので、表示画面の大きさは小さいのが普通である。
図１で説明したモジュール構成は、主に画像処理サーバー２１３内で実現されている。ただし、スキャナ２１１、画像ＤＢ２１７、通信サーバー２１５、携帯電話２２３またはＰＤＡ２２５内に実現されていてもよいし、図１の各モジュールが、これらに散在していてもよい。
【００２３】
次に作用・働き（動作）を説明する。
図３のフローチャートを用いて、本実施の形態によって行われる処理例を説明する。
ステップＳ３０１では、画像入力モジュール１１１がドキュメント（静止画、動画を含む）を入力する。
ステップＳ３０２では、領域抽出モジュール１１３がステップＳ３０１で入力されたドキュメントに対して、領域抽出を行う。
ステップＳ３０３では、主副オブジェクト抽出モジュール１１５が領域毎の種別を判定する。
ステップＳ３０４では、主副オブジェクト抽出モジュール１１５がオブジェクト毎にインデックス等を抽出する。
ステップＳ３０５では、主副オブジェクト抽出モジュール１１５が領域について、主画像であるか副画像であるかの判定をする。ステップＳ３０２からステップＳ３０５までの結果をオブジェクト記憶モジュール１１７に記憶させる。
ステップＳ３０６では、副オブジェクト指定モジュール１１９が主画像を表示装置に表示する。
ステップＳ３０７では、副オブジェクト指定モジュール１１９が副画像に関する、種別、インデックスをその副画像が存在する方向にガイドを表示する。
ステップＳ３０８では、副オブジェクト指定モジュール１１９が副画像のインデックスに応じて、ガイドの形態（形状、模様、色彩、これらの組み合わせ等）を変更する。
ステップＳ３０９では、画像表示モジュール１２１がユーザによる指定に応じて、その副画像を主画像に重ね合わせて表示する。この重ね合わせる場合に、背景色と比較して、色差が所定値以上になるような色で副画像を表示することにより、ユーザにとって見やすい画像とすることができる。
ステップＳ３１０では、以降、画像表示モジュール１２１は、特定の映像を表示している時（主画像がある場合など）に、上記ステップＳ３０７からステップＳ３０８までの指定に応じて、副画像を表示するようにする。つまり、動画像を対象画像とする場合、本実施の形態によって処理が行われた部分と、何も処理が行われていない部分が混在することになる。本実施の形態による処理が行われたフレームがあると、そのことを副オブジェクト指定モジュール１１９が検知し、画像表示モジュール１２１が主画像と副画像の表示を行う。
【００２４】
図４を用いて、本実施の形態によって行われる処理の一例を説明する。
図４（Ａ）は、画像入力モジュール１１１が入力する入力ドキュメント４１０（動画）の例である。入力ドキュメント４１０は、駅伝の映像であるが、この中に、その映像に関する情報（経過時間を示すオブジェクト４１１、現在の距離情報を示すオブジェクト４１２）が含まれている。
図４（Ｂ）は、入力ドキュメント４１０に対する領域抽出モジュール１１３、主副オブジェクト抽出モジュール１１５による処理結果の例である。オブジェクト４２１は、動きの激しい画像が含まれている矩形領域であり、主画像である。そして、その識別子は「Ｐｈｏｔｏ１」であり、インデックス情報は「人」である。オブジェクト４２２は、主画像ほどではないが変化が一定時間ごとにある画像であり、副画像である。そして、その識別子は「Ｔｅｘｔ１」であり、インデックス情報は「タイム」である。種別として「Ｔｅｘｔ」とわかるのは、主副オブジェクト抽出モジュール１１５によって文字領域であると判別しているからである。オブジェクト４２３は、主画像ほどではないが変化が一定時間ごとにある画像であり、副画像である。そして、その識別子は「Ｇｒａｐｈ１」であり、インデックス情報は「区間位置」である。種別として「Ｇｒａｐｈ」とわかるのは、主副オブジェクト抽出モジュール１１５によって図形領域であると判別しているからである。
【００２５】
図４（Ｃ）は、副オブジェクト指定モジュール１１９によって表示された画面である。つまり、表示画面４３０に主画像（オブジェクト４２１）を表示し、副画像については、それをユーザに選択させるためにガイド表示を行っている。つまり、図４（Ｃ）に示すように「文字」「タイム」を表示した矢印である説明４３１と「グラフ」「区間位置」を表示した矢印である説明４３２を、主画像の右側に表示している。原画像（図４（Ａ））では、オブジェクト４１１、オブジェクト４１２は主画像の右側に存在していたからである。
ここで、ユーザは説明４３２（区間位置）を選択したとする。その場合の、画像表示モジュール１２１による画面表示が図４（Ｄ）または図４（Ｅ）である。図４（Ｄ）では、主画像とＧｒａｐｈ１の副画像が重ね合わされて表示されている。主画像とこの副画像の色差がある閾値以下である場合は、例えば図４（Ｅ）に示すように矩形内の背景を白くして、副画像内の変化する部分のみを取り出すように表示してもよい。
【００２６】
図６を参照して、実施の形態の画像処理システムのハードウェア構成例について説明する。図６に示す構成は、例えばパーソナルコンピュータ（ＰＣ）などによって構成される画像処理システムであり、スキャナ等のデータ読み取り部６１７と、プリンタなどのデータ出力部６１８を備えたハード構成例を示している。
【００２７】
ＣＰＵ（Ｃｅｎｔｒａｌ  Ｐｒｏｃｅｓｓｉｎｇ  Ｕｎｉｔ）６０１は、上述の実施の形態において説明した各種のモジュール、すなわち、領域抽出モジュール１１３、主副オブジェクト抽出モジュール１１５、副オブジェクト指定モジュール１１９、画像表示モジュール１２１等の各モジュールの実行シーケンスを記述したコンピュータ・プログラムに従った処理を実行する制御部である。
【００２８】
ＲＯＭ（Ｒｅａｄ  Ｏｎｌｙ  Ｍｅｍｏｒｙ）６０２は、ＣＰＵ６０１が使用するプログラムや演算パラメータ等を格納する。ＲＡＭ（Ｒａｎｄｏｍ  Ａｃｃｅｓｓ  Ｍｅｍｏｒｙ）６０３は、ＣＰＵ６０１の実行において使用するプログラムや、その実行において適宜変化するパラメータ等を格納する。これらはＣＰＵバスなどから構成されるホストバス６０４により相互に接続されている。
【００２９】
ホストバス６０４は、ブリッジ６０５を介して、ＰＣＩ（Ｐｅｒｉｐｈｅｒａｌ  Ｃｏｍｐｏｎｅｎｔ  Ｉｎｔｅｒｃｏｎｎｅｃｔ／Ｉｎｔｅｒｆａｃｅ）バスなどの外部バス６０６に接続されている。
【００３０】
キーボード６０８、マウス等のポインティングデバイス６０９は、操作者により操作される入力デバイスである。ディスプレイ６１０は、液晶表示装置またはＣＲＴ（Ｃａｔｈｏｄｅ  Ｒａｙ  Ｔｕｂｅ）などから成り、各種情報をテキストやイメージ情報として表示する。
【００３１】
ＨＤＤ（Ｈａｒｄ  Ｄｉｓｋ  Ｄｒｉｖｅ）６１１は、ハードディスクを内蔵し、ハードディスクを駆動し、ＣＰＵ６０１によって実行するプログラムや情報を記録または再生させる。ハードディスクは、画像入力モジュール１１１によって入力された画像等を記憶し、オブジェクト記憶モジュール１１７に該当する。さらに、その他の各種のデータ処理プログラム等、各種コンピュータ・プログラムが格納される。
【００３２】
ドライブ６１２は、装着されている磁気ディスク、光ディスク、光磁気ディスク、または半導体メモリ等のリムーバブル記録媒体６１３に記録されているデータまたはプログラムを読み出して、そのデータまたはプログラムを、インタフェース６０７、外部バス６０６、ブリッジ６０５、およびホストバス６０４を介して接続されているＲＡＭ６０３に供給する。リムーバブル記録媒体６１３も、ハードディスクと同様のデータ記録領域として利用可能である。
【００３３】
接続ポート６１４は、外部接続機器６１５を接続するポートであり、ＵＳＢ、ＩＥＥＥ１３９４等の接続部を持つ。接続ポート６１４は、インタフェース６０７、および外部バス６０６、ブリッジ６０５、ホストバス６０４等を介してＣＰＵ６０１等に接続されている。通信部６１６は、ネットワークに接続され、外部とのデータ通信処理を実行する。データ読み取り部６１７は、例えばスキャナであり、ドキュメントの読み取り処理を実行する。データ出力部６１８は、例えばプリンタであり、ドキュメントデータの出力処理を実行する。
【００３４】
なお、図６に示す画像処理システムのハードウェア構成は、１つの構成例を示すものであり、本実施の形態の画像処理システムは、図６に示す構成に限らず、本実施の形態において説明したモジュールを実行可能な構成であればよい。例えば、一部のモジュールを専用のハードウェア（例えばＡＳＩＣ等）で構成してもよく、一部のモジュールは外部のシステム内にあり通信回線で接続しているような形態でもよく、さらに図６に示すシステムが複数互いに通信回線によって接続されていて互いに協調動作するようにしてもよい。また、複写機、ファックス、スキャナ、プリンタ、複合機（多機能複写機とも呼ばれ、スキャナ、プリンタ、複写機、ファックス等の機能を有している）などに組み込まれていてもよい。
【００３５】
なお、説明したプログラムについては、記録媒体に格納することも可能であり、また、そのプログラムを通信手段によって提供することもできる。その場合、例えば、上記説明したプログラムについて、「プログラムを記録したコンピュータ読み取り可能な記録媒体」の発明として捉えることもできる。
【００３６】
「プログラムを記録したコンピュータ読み取り可能な記録媒体」とは、プログラムのインストール、実行、プログラムの流通などのために用いられる、プログラムが記録されたコンピュータで読み取り可能な記録媒体をいう。
なお、記録媒体としては、例えば、デジタル・バーサタイル・ディスク（ＤＶＤ）であって、ＤＶＤフォーラムで策定された規格である「ＤＶＤ−Ｒ、ＤＶＤ−ＲＷ、ＤＶＤ−ＲＡＭ等」、ＤＶＤ＋ＲＷで策定された規格である「ＤＶＤ＋Ｒ、ＤＶＤ＋ＲＷ等」、コンパクトディスク（ＣＤ）であって、読出し専用メモリ（ＣＤ−ＲＯＭ）、ＣＤレコーダブル（ＣＤ−Ｒ）、ＣＤリライタブル（ＣＤ−ＲＷ）等、光磁気ディスク（ＭＯ）、フレキシブルディスク（ＦＤ）、磁気テープ、ハードディスク、読出し専用メモリ（ＲＯＭ）、電気的消去および書換可能な読出し専用メモリ（ＥＥＰＲＯＭ）、フラッシュ・メモリ、ランダム・アクセス・メモリ（ＲＡＭ）等が含まれる。
そして、上記のプログラムまたはその一部は、上記記録媒体に記録して保存や流通等させることが可能である。また、通信によって、例えば、ローカル・エリア・ネットワーク（ＬＡＮ）、メトロポリタン・エリア・ネットワーク（ＭＡＮ）、ワイド・エリア・ネットワーク（ＷＡＮ）、インターネット、イントラネット、エクストラネット等に用いられる有線ネットワーク、あるいは無線通信ネットワーク、さらにはこれらの組合せ等の伝送媒体を用いて伝送することが可能であり、また、搬送波に乗せて搬送することも可能である。
さらに、上記のプログラムは、他のプログラムの一部分であってもよく、あるいは別個のプログラムと共に記録媒体に記録されていてもよい。
【図面の簡単な説明】
【００３７】
【図１】本実施の形態の各モジュール間の構成例を示すブロック図である。
【図２】本実施の形態が実現されるシステム全体の構成例を示すブロック図である。
【図３】本実施の形態によって行われる処理例を説明するフローチャートである。
【図４】本実施の形態によって行われる処理の一例の説明図である。
【図５】本実施の形態が取り扱うデータ構造の例である。
【図６】本実施の形態を実現する画像処理システムのハードウェア構成例を示すブロック図である。
【符号の説明】
【００３８】
１１１…画像入力モジュール
１１３…領域抽出モジュール
１１５…主副オブジェクト抽出モジュール
１１７…オブジェクト記憶モジュール
１１９…副オブジェクト指定モジュール
１２１…画像表示モジュール
２１１…動画像入力装置
２１３…画像処理サーバー
２１５…通信サーバー
２１７…画像ＤＢ
２１９…バス
２２１…通信
２２３…携帯電話
２２５…ＰＤＡ
【図１】
2008046832.tif 000003
【図２】
2008046832.tif 000004
【図３】
2008046832.tif 000005
【図４】
2008046832.tif 000006
【図５】
2008046832.tif 000007
【図６】
2008046832.tif 000008